(57)【要約】  【課題】プリントができない状況の場合に、二重のコピー予約を防止することができる画像読取記録装置を提供する。  【解決手段】ユーザがスタートキーを押下すると、記録すべき原稿データがあるか否かを判別し（ステップ１０２）、記録すべき原稿データがない場合には、原稿の読取を開始する（ステップ１０３）。一方、記録すべき原稿データがある場合には、ウォームアップ中か否かを判別し（ステップ１０４）、ウォームアップ中の場合には、表示部に「しばらくお待ちください」とのメッセージを表示して（ステップ１０５）、コピー予約を中止する。また、用紙がない場合や、プリンタエラーが発生している場合にも、コピー予約を中止する。  【選択図】図４
2005101885.tif 000002
【特許請求の範囲】
【請求項１】
画像を読取る画像読取部と、読取った画像データを記憶する画像記憶部と、上記画像記憶部に記憶された画像データを記録する画像記録部と、操作部と、メッセージを表示する表示部と、上記各部を制御する制御部とを備え、上記操作部からコピー予約が行われた場合、上記制御部は画像記録部が記録すべき画像データがあるか否か及び画像記録部が記録できる状態か否かを判別し、画像記録部が記録すべき画像データがあり、かつ、画像記録部が記録できない状態の場合には、コピー予約を受け付けないことを特徴とする画像読取記録装置
【請求項２】
請求項１に記載された画像読取記録装置において、画像記録部が記録すべき画像データがあり、かつ、画像記録部が記録できない状態のときにコピー予約が行われた場合、上記制御部がコピー予約できない旨を上記表示部に表示することを特徴とする画像読取記録装置。
【請求項３】
請求項１に記載された画像読取記録装置において、上記制御部が上記画像記録部がウォームアップ中か否かを判別することにより画像記録部が記録できる状態か否かを判別することを特徴とする画像読取記録装置。
【発明の詳細な説明】
【技術分野】
【０００１】
本発明は、画像読取記録装置に関し、特に画像記録中に次の原稿の読取りを行うことができるコピー予約可能な画像読取記録装置に関する。
【背景技術】
【０００２】
複写機能、ファクシミリ機能、プリント機能、スキャナ機能等を有するデジタル複合機あるいは通常のファクシミリ装置やコピー機は、画像メモリを備え、読取った原稿の画像を一旦画像メモリに記憶させてから、記録部で記録紙に記録させているので、複数の原稿を複数部数コピーする場合であっても、複数の原稿を一度読取るだけで、複数部数コピーすることができる。
また、この画像メモリを利用し、画像を記録紙に記録している間も、読取部に載置した原稿を読取らせて一旦画像メモリに記憶することにより、画像記録部が記録中であってもコピー予約を行うことができるようになっている（例えば、特許文献１参照）。
【特許文献１】特開２００１−１８９８３４号公報
【発明の開示】
【発明が解決しようとする課題】
【０００３】
上記のように、従来の画像読取記録装置では、画像を記録紙に記録している間も、読取部に載置した原稿を読取って一旦画像メモリに記憶させることができるようになっているので、電源投入直後や節電モードからの復帰直後など、プリントを開始するまで一定の時間が必要な場合にも、次の原稿を読取るコピー予約が可能となっている。しかしながら、１ジョブ目の読取りが終了しても、上記のように電源投入直後や節電モードからの復帰直後など、プリントを開始するまで一定の時間が必要な場合には、記録用紙が出力されないので、ユーザが誤操作と判断してもう一度スタートキーを押して、読取りを行うことがあった。この場合、例えば、プリンタのウォームアップが終了してプリンタがプリントを開始すると、同じ原稿のコピーが２セットプリントされることになり、ミスコピーとなって用紙が無駄になるという問題があった。
【０００４】
本発明は、上記の問題に鑑みてなされたもので、プリントができない状況の場合に、二重のコピー予約を防止することができる画像読取記録装置を提供することを目的とする。
【課題を解決するための手段】
【０００５】
上述の目的を達成するため、請求項１に係る発明の画像読取記録装置は、画像を読取る画像読取部と、読取った画像データを記憶する画像記憶部と、上記画像記憶部に記憶された画像データを記録する画像記録部と、操作部と、メッセージを表示する表示部と、上記各部を制御する制御部とを備え、上記操作部からコピー予約が行われた場合、上記制御部は画像記録部が記録すべき画像データがあるか否か及び画像記録部が記録できる状態か否かを判別し、画像記録部が記録すべき画像データがあり、かつ、画像記録部が記録できない状態の場合には、コピー予約を受け付けないことを特徴とする。
【０００６】
また、請求項２に係る発明は、請求項１に記載された画像読取記録装置において、画像記録部が記録すべき画像データがあり、かつ、画像記録部が記録できない状態のときにコピー予約が行われた場合、上記制御部がコピー予約できない旨を上記表示部に表示することを特徴とする。
【０００７】
さらに、請求項３に係る発明は、請求項１に記載された画像読取記録装置において、上記制御部が上記画像記録部がウォームアップ中か否かを判別することにより画像記録部が記録できる状態か否かを判別することを特徴とする。
【発明の効果】
【０００８】
請求項１、請求項３に係る発明の画像読取記録装置によれば、電源投入直後や節電モードからの復帰直後の画像記録部のウォームアップ中等、画像記録部が記録ができない状態のときに、前回のジョブの記録すべき原稿データが残っている場合には、コピー予約が制限されるので、読取りが終了しても記録用紙が出力されない場合に、ユーザが誤操作と間違ってもう一度コピー予約を行っても、画像読取部が原稿を読取らないのでミスコピーを未然に防止することができる。
【０００９】
また、請求項２に係る発明の画像読取記録装置によれば、画像記録部が記録すべき画像データがあり、かつ、画像記録部が記録できない状態のときにコピー予約が行われた場合、制御部がコピー予約できない旨を表示部に表示するので、ユーザが二重にコピー予約しようとした場合には、容易にこれを認識することができる。
【実施例】
【００１０】
以下、本発明の画像読取記録装置を一例として、コピーモード、プリンタモード、ファックスモード等を有するデジタル複合機に適用した場合の実施例について、図面を用いて説明する。図１はデジタル複合機の外観図であり、図に示すように、装置本体１の上部には、原稿カバーを兼ね、シート状の原稿を自動的に一枚ずつ送る自動原稿送り装置（ＡＤＦ、オートドキュメントフィーダー）２が開閉自在に設けられている。このＡＤＦ２の下には、フラットベッドスキャナ（ＦＢＳ）の原稿台ガラス（図示せず）があり、原稿はこの原稿ガラス台の上に載置され、ＡＤＦ２が原稿圧着板を兼ねている。この原稿ガラス台の直下部分には原稿台ガラス上の原稿に走査光を照射し、原稿画像を読取る画像読取部、読取った画像を感光ドラムに現像する現像部、感光ドラム表面のトナーをコピー用紙に転写する転写部、コピー用紙を搬送する搬送部などが設けられている。
【００１１】
また、装置本体１の上面前部には、コピー条件並びにコピー開始を指示するための各種操作キー及び表示パネルを備えた表示・操作パネル３が設けられ、装置本体１の下部には、給紙カセット４、５、６が着脱自在に設けられ、これらの給紙カセットの各々には、同一サイズの用紙が収納されて、必要に応じて選択されるようになっている。さらに、装置本体１の中間部には記録済の用紙が排出される排紙部７が設けられている。
【００１２】
図２はデジタル複合機の制御系の構成を示す概略ブロック図であり、図に示すように、デジタル複合機はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ＬＡＮインターフェース２１から構成され、各部がバス２２を介して接続されている。
【００１３】
ＣＰＵ１１はバス２２を介してデジタル複合機のハードウェア各部を制御するとともに、ＲＯＭ１２に記憶されたプログラムに基づいて各種のプログラムを実行する。ＲＯＭ１２はデジタル複合機の動作に必要な種々のプログラムを予め記憶しており、ＲＡＭ１３はＳＲＡＭ等で構成され、プログラムの実行時に発生する一時的なデータを記憶する。
【００１４】
表示・操作部１４は、デジタル複合機の動作状態を表示したり、種々の機能の操作画面の表示を行う表示部と、デジタル複合機を操作するための複数のキーから構成され、図１のデジタル複合機の表示・操作パネル３に設けられている。この表示・操作部１４は図３の拡大図に示すように、表示部を構成する大型ＬＣＤ表示部（大型表示画面）４１と多数の操作キーが設けられている。ＬＣＤ表示部４１には、タッチパネルスイッチが配設され、ＬＣＤ表示部４１に表示された項目部分を押下することで、対応する項目の選択や機能の実行を行うことができる。また、操作キーとして、テンキー５１、スタートキー５２、リセットキー５３、ストップキー５４、複数のワンタッチダイヤルキー５５、十字キー５６、リターンキー５７、セットキー５８、ＦＡＸ切替キー５９、コピー切替キー６０、スキャナ切替キー６１等の各種キーが設けられている。なお、ＬＣＤ表示部４１によりこれらの操作キーの一部又は全部を代用することも可能である。
【００１５】
読取部１５は上記のＡＤＦ２やＦＢＳよりなり、ＣＣＤ等を利用したスキャナで原稿を読み取り、白黒２値に変換したドットイメージデータを出力するものである。また、画像メモリ１６は、ＤＲＡＭ等を用いて構成され、送信すべきイメージデータまたは受信したイメージデータを記憶し、記録部１７は上記の現像部、転写部、用紙搬送部よりなる電子写真方式等のプリンタ装置を備え、受信したデータをハードコピーとしてプリントアウトする。この記録部１７のプリンタ装置には各用紙カセット４〜６のカセットに用紙があるか否かを検出する用紙センサ７１と紙詰まりを検知するジャムセンサ７２が設けられている。
【００１６】
コーデック１８は送信する画像情報を一定の符号化法によりデータ圧縮する一方、受信した画像データを復号して元の情報に復元するものである。モデム１９はバス２２に接続されており、ファクシミリ通信が可能なファックスモデムとしての機能を有し、このモデム１９は同様にバス２２に接続されたＮＣＵ２０と接続されている。ＮＣＵ２０はアナログ回線の閉結及び開放の動作を行うハードウェアであり、必要に応じてモデム１９を電話回線に接続する。
ＬＡＮインターフェース２１はＬＡＮ（Local Area Network）に接続され、ＬＡＮからの信号やデータを受信する一方、ＬＡＮに対して信号やデータを送信するものであり、信号変換やプロトコル変換などのインターフェース処理を実行する。
【００１７】
デジタル複合機は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０から公衆電話回線を通して通信相手先に送信される。また、ファクシミリ受信時には、受信した画像データがモデム１９で復調され、画像メモリ１６に蓄積された後、コーデック１８で復号されて記録部１７により印刷される。
【００１８】
次に、このデジタル複合機におけるコピー時の動作について、図４に示すフローチャートにより説明する。なお、この動作は、ＲＯＭ１２に記憶されたプログラムに基づき、ＣＰＵ１１の制御により実行される。
コピー時には、ユーザはＡＤＦ２よりなる原稿カバーを開き、原稿をセットした後、原稿カバーを閉じ、コピー部数や倍率等をテンキー５１やＬＣＤ表示部４１のタッチパネル等から設定した後、あるいはこれらの設定を省略してスタートキー５２を押下する。一方、ＣＰＵ１１は図４のフローチャートに示すように、デジタル複合機のコピーモード動作時には、常にスタートキー５２がオンされたか否かを判別（ステップ１０１）しており、ユーザがスタートキー５２を押下すると、ＣＰＵ１１は記録部１７により記録すべき原稿データが画像メモリ１６にあるか否かを判別する（ステップ１０２）。そして、その時点で記録すべき原稿データがない場合には、読取部１５の画像読取機構を動作させて、原稿の読取を開始し（ステップ１０３）、読取った原稿データをコーデック１８で圧縮して画像メモリ１６に蓄積する。この原稿データは画像メモリ１６から順次読み出されてコーデック１８で復号された後、記録部１７により印刷される。
【００１９】
一方、スタートキー５２が押下された時点で記録すべき原稿データがある場合には、ＣＰＵ１１はデジタル複合機がウォームアップ中か否かを判別する（ステップ１０４）。デジタル複合機は、電源スイッチをオンしたり、省エネモード解除キーをオンしたり、紙詰まりを取り除いた後など、特に記録部が電子写真方式の場合、記録部の定着器が暖まるまでＣＰＵ１１は定着器を加熱し、定着器が適温まで上昇した時点でその温度を保持する。この定着器の状態を監視することにより、ＣＰＵ１１はウォームアップ中か否かを判別し、ウォームアップ中の場合には、ＬＣＤ表示部４１に「しばらくお待ちください」とのメッセージを表示する（ステップ１０５）。
ウォームアップが完了すると、上記の表示が消されるので、ユーザは再度スタートキー５２を押下することにより、原稿のコピー予約を行うことができる。
【００２０】
一方、装置がウォームアップ中でない場合には、ＣＰＵ１１は現在記録すべき画像データの大きさに対応したカセットに用紙があるか否かを用紙センサ７１の出力により判別する（ステップ１０６）。該当するカセットに用紙がない場合には、ＣＰＵ１１はコピー予約を中止する。
なお、この場合には、既にＬＣＤ表示部４１に「用紙を補充してください」とのメッセージが表示されているので、ユーザは用紙を補充した後、再度スタートキー５２を押下することにより、原稿のコピー予約を行うことができる。
【００２１】
一方、該当するカセットに用紙がある場合には、ＣＰＵ１１はジャムセンサ７２等の出力によりプリンタエラーが発生しているか否かを判別する（ステップ１０７）。プリンタエラーが発生している場合には、ＣＰＵ１１はコピー予約を中止する。
なお、この場合にも、既にＬＣＤ表示部４１に「用紙を取り除いてください」とのメッセージが表示されているので、ユーザは用紙を取り除いた後、再度スタートキー５２を押下することにより、原稿のコピー予約を行うことができる。
【００２２】
ステップ１０７において、プリンタエラーが発生していないと判別された場合には、ＣＰＵ１１は、読取部１５の原稿読取機構による原稿の読取を開始し（ステップ１０３）、上記と同様に、読取った原稿データをコーデック１８で圧縮して画像メモリ１６に蓄積する。
【００２３】
このように、デジタル複合機がウォームアップ中等の記録部で記録できない状態のときに、記録部で記録すべき原稿データが残っている場合には、スタートキーを押下しても、原稿の読取りが制限されるので、原稿の読み取りが終了しても記録用紙が出力されない場合に、ユーザが誤操作と間違ってもう一度スタートキーを押しても、原稿が読取られないので、ミスコピーを未然に防止することができる。
【００２４】
なお、上記の実施例では、本発明の画像読取記録装置を複写機能、ファクシミリ機能、プリント機能、スキャナ機能等を有するデジタル複合機に適用した例を説明したが、本発明の画像読取記録装置は、通常のファクシミリ装置やコピー機にも適用することができる。
【図面の簡単な説明】
【００２５】
【図１】本発明の画像読取記録装置を実施したデジタル複合機の外観図である。
【図２】本発明の画像読取記録装置を実施したデジタル複合機の概略ブロック図である。
【図３】デジタル複合機の表示・操作パネルを示す図である。
【図４】コピー予約を行う場合の動作を示すフローチャートである。
【符号の説明】
【００２６】
１  装置本体
２  ＡＤＦ
３  表示・操作パネル
４、５、６  カセット
７  排紙部
１１  ＣＰＵ
１２  ＲＯＭ
１３  ＲＡＭ
１４  表示・操作部
１５  読取部
１６  画像メモリ
１７  記録部
７１  用紙センサ
７２  ジャムセンサ
１８  コーデック
１９  モデム
２０  ＮＣＵ
２１  ＬＡＮインターフェース
２２  バス
４１  ＬＣＤ表示部
５２  スタートキー
【図１】
2005101885.tif 000003
【図２】
2005101885.tif 000004
【図３】
2005101885.tif 000005
【図４】
2005101885.tif 000006